(57)【特許請求の範囲】
【請求項１】
自然エネルギーにより発電された電力を充電する蓄電池と、商用電源とに接続され、建物に設置されたエレベータの運転を制御するエレベータ制御装置において、
前記蓄電池の充電量を監視する充電量監視部と、
前記充電量監視部での監視結果により、前記蓄電池の充電量が予め設定された第１閾値を超えていると判断されるときには、前記蓄電池から前記エレベータに優先的に電力を供給させ、前記蓄電池の充電量が前記第１閾値以下になったと判断されるときには、商用電源から前記エレベータに電力を供給させるように切り替える電源切替制御部と、
前記充電量監視部での監視結果により、前記蓄電池の充電量が前記第１閾値より大きい所定値を超えたと判断されるときに、前記蓄電池に蓄積された電力に余剰があることを示す余剰電力情報を生成し、前記エレベータ以外の電気機器に前記蓄電池から電力を供給させるかまたは前記蓄電池に蓄積された電力を売却させるために前記建物内の電力を管理する建物内電力管理装置に送信する送信部と
を備えることを特徴とするエレベータ制御装置。
【請求項２】
前記電源切替制御部は、商用電源から前記エレベータに優先的に電力を供給させるように切り替えた後、前記充電量監視部での監視結果により、前記蓄電池の充電量が予め設定された、前記第１閾値よりも高い第２閾値を超えたと判断されるときには、前記蓄電池から前記エレベータに電力を供給させるように切り替える
ことを特徴とする請求項１に記載のエレベータ制御装置。
【発明の詳細な説明】
【技術分野】
【０００１】
本発明の実施形態は、エレベータ制御装置に関する。
【背景技術】
【０００２】
従来、太陽光などの自然エネルギーを利用して各種電気機器を稼動させることで、商用電源による建物内の消費エネルギーの削減を図る技術が開発されている。特に大型の建物では、建物全体で消費されるエネルギーのうち、エレベータの稼働に費やされる電力が大きな割合を占めるため、エレベータの稼働になるべく自然エネルギーを用いるようにすることで省エネ効果を高めることができる。
【先行技術文献】
【特許文献】
【０００３】
【特許文献１】特開２０１４−１１７０４１号公報
【発明の概要】
【発明が解決しようとする課題】
【０００４】
通常、エレベータは時間帯により利用量が大きく異なり、また自然エネルギーも天候や時間帯により発電量が大きく異なる。そのため、自然エネルギーをエレベータの稼働に効率よく利用させることが困難であるという問題があった。
【０００５】
本発明は上記事情に鑑みてなされたものであり、自然エネルギーをエレベータの稼働に効率よく利用させるためのエレベータ制御装置を提供することを目的とする。
【課題を解決するための手段】
【０００６】
上記目的を達成するための実施形態によればエレベータ制御装置は、自然エネルギーにより発電された電力を充電する蓄電池と、商用電源とに接続され、充電量監視部と電源切替制御部と送信部とを備える。充電量監視部は蓄電池の充電量を監視する。電源切替制御部は、充電量監視部での監視結果により蓄電池の充電量が予め設定された第１閾値を超えていると判断されるときには蓄電池からエレベータに優先的に電力を供給させ、蓄電池の充電量が第１閾値以下になったと判断されるときには商用電源からエレベータに電力を供給させるように切り替える。送信部は、充電量監視部での監視結果により蓄電池の充電量が第１閾値の２倍の値を超えたと判断されるときに、蓄電池に蓄積された電力に余剰があることを示す余剰電力情報を生成し、エレベータ以外の電気機器に蓄電池から電力を供給させるかまたは蓄電池に蓄積された電力を売却させるために、建物内の電力を管理する建物内電力管理装置に送信する。
【図面の簡単な説明】
【０００７】
【図１】一実施形態によるエレベータ制御装置を利用したエレベータシステムの構成を示す全体図。
【図２】一実施形態によるエレベータ制御装置の構成を示すブロック図。
【図３】一実施形態によるエレベータ制御装置の動作を示すフローチャート。
【発明を実施するための形態】
【０００８】
〈一実施形態によるエレベータ制御装置を利用したエレベータシステムの構成〉
本発明の一実施形態によるエレベータ制御装置を利用したエレベータシステムの構成について、図１を参照して説明する。本実施形態によるエレベータシステム１は、エレベータ２が設置された建物Ａ内に搭載され、建物Ａの屋上に設置された太陽光パネル３と、建物Ａ内の最上階ホールに設置された集電ユニット４、パワーコンディショナー５、および蓄電池６と、建物Ａ内に設置され、商用電源に接続された分電盤７と、エレベータ２の昇降路（図示せず）上部に設置されたエレベータ制御盤８とを備える。
【０００９】
集電ユニット４は、太陽光パネル３により発電した直流電力を集電する。パワーコンディショナー５は、直流電力と交流電力との変換を行う。蓄電池６は、パワーコンディショナー５で変換された電力を充電する。
【００１０】
エレベータ制御盤８は、図２に示すように、蓄電池６の充電量を監視する充電量監視部８１と、エレベータ２から要求された電力を供給する電力供給部８２と、電力供給部８２からエレベータ２に供給する電力の電源を、蓄電池６と分電盤７の商用電源とで切り替える電源切替盤８３と、充電量監視部８１での監視結果に基づいて電源切替盤８３の切り替え制御を行う電源切替制御部８４と、エレベータ２から要求された電力が予め設定された上限値を超えるかまたはエレベータ２の動作に関する異常信号が受信されたときに、電力供給部８２からエレベータ２への電力供給を遮断する動力ブレーカ８５とを有する。またエレベータ制御盤８は、充電量監視部８１での監視結果に基づいて、建物Ａ内の電力を管理する建物内電力管理装置９に通知する蓄電池６の余剰電力情報を生成する余剰電力情報生成部８６と、余剰電力情報生成部８６で生成された余剰電力情報を建物内電力管理装置９に送信する送信部８７とを有する。
【００１１】
電源切替制御部８４は、充電量監視部８１での監視結果により、蓄電池６の充電量が予め設定された第１閾値を超えていると判断されるときには、蓄電池６からエレベータ２に電力を供給させ、蓄電池６の充電量が当該第１閾値以下になったと判断されるときには、分電盤７の商用電源からエレベータ２に電力を供給させるように切り替える。また電源切替制御部８４は、分電盤７の商用電源からエレベータ２に電力を供給させるように切り替えた後、充電量監視部８１での監視結果により、蓄電池６の充電量が予め設定された第２閾値を超えたと判断されるときには、蓄電池６からエレベータ２に電力を供給させるように切り替える。
【００１２】
ここで、第１閾値および第２閾値は、エレベータ２を所定時間（例えば１時間）運転させるために十分な電力が蓄電池６に蓄積されているか否かを判断するための値である。この第１閾値と第２閾値とは同値でもよいし、第２閾値を第１閾値よりも高い値で設定してもよい。第２閾値を第１閾値よりも高い値で設定することにより、エレベータ２に供給させる電力の電源が蓄電池６と商用電源とで頻繁に切り替わるハンチング現象の発生を避けることができるため、本実施形態においては第２閾値は第１閾値よりも高い値であるものとする。
【００１３】
余剰電力情報生成部８６は、充電量監視部８１において、蓄電池６の充電量が第１閾値または第２閾値の２倍の値を超えたと判断されるときには、蓄電池６からエレベータ２に電力を供給してもなお余剰電力があることを示す余剰電力情報を生成する。
【００１４】
建物内電力管理装置９は、エレベータ制御盤８から余剰電力情報を取得すると、建物Ａ内のエレベータ２以外の電気機器（例えば照明装置や空調機等）に、蓄電池６から電力を供給させるかまたは、蓄電池６に蓄積された電力を電力会社に売却するための処理を行う。
【００１５】
〈一実施形態によるエレベータ制御装置を利用したエレベータシステムの動作〉
次に、本実施形態によるエレベータシステム１の動作について説明する。本実施形態においては、建物Ａの屋上に設置された太陽光パネル３により発電した直流電力が集電ユニット４で集電された後、パワーコンディショナー５で直流／交流変換が行われる。変換された電力は、蓄電池６に蓄積される。
【００１６】
このように蓄電池６への電力の蓄積が行われている状態で、エレベータ制御盤８で実行される処理について、図３のフローチャートを参照して説明する。
【００１７】
まず、エレベータ制御盤８の充電量監視部８１において、蓄電池６の充電量が予め設定された第１閾値を超えているか否かが監視される（Ｓ１）。監視結果により、蓄電池６の充電量が第１閾値を超えているときには（Ｓ１の「YES」）、エレベータ２を所定時間運転させるために十分な電力が蓄電池６に蓄積されていると判断されて、電力取得先が蓄電池６になるように電源切替制御部８４により電源切替盤８３が設定される（Ｓ２）。電力取得先が設定されたことにより、蓄電池６から電源切替盤８３を介して電力が取得され、電力供給部８２によりエレベータ２に供給される（Ｓ３）。
【００１８】
また、充電量監視部８１での監視結果により充電量が第１閾値以下になったときには（Ｓ１の「NO」）、エレベータ２を所定時間運転させるために十分な電力が蓄電池６になくなったと判断されて、電力取得先が分電盤７の商用電源になるように電源切替制御部８４により電源切替盤８３が切り替えられる（Ｓ４）。電力取得先が切り替えられたことにより、商用電源から電源切替盤８３を介して電力が取得され、電力供給部８２によりエレベータ２に供給される（Ｓ５）。
【００１９】
電力取得先が商用電源に切り替えられると、充電量監視部８１により、蓄電池６の充電量が予め設定された第２閾値を超えたか否かが監視される（Ｓ６）。蓄電池６の充電量が第２閾値を超えたとき（Ｓ６の「YES」）には、蓄電池６の充電量が、エレベータ２を所定時間運転させるために十分であり、且つエレベータ２に供給される電力の電源が蓄電池６と商用電源とで頻繁に切り替わるハンチング現象の発生を避けることができるレベルに達したと判断されて、電力取得先が蓄電池６になるように電源切替制御部８４により電源切替盤８３が切り替えられる（Ｓ７）。電力取得先が切り替えられたことにより、蓄電池６から電源切替盤８３を介して電力が取得され、電力供給部８２によりエレベータ２に供給される（Ｓ８）。
【００２０】
ステップＳ６において、蓄電池６の充電量が第２閾値を超えていないとき（Ｓ６の「NO」）には、商用電源からエレベータ２への電力供給が継続される。
【００２１】
このように電力取得先の切替制御が行われ、ステップＳ３またはステップＳ８の処理により蓄電池６からエレベータ２に電力が供給されているときに、充電量監視部８１において、蓄電池６の充電量が第１閾値の２倍を超えたから否かが監視される（Ｓ９）。ここで、蓄電池６の充電量が第１閾値の２倍を超えたときには（Ｓ９の「YES」）、蓄電池６からエレベータ２に電力を供給してもなお余剰電力があると判断されて、この判断結果を建物内電力管理装置９に通知するための余剰電力情報が余剰電力情報生成部８６で生成される。生成された余剰電力情報は、送信部８７から建物内電力管理装置９に送信される（Ｓ１０）。上述したステップＳ１〜Ｓ１０の処理は、所定時間間隔で繰り返される。
【００２２】
これらの処理が実行されている間に、エレベータ２から要求された電力が予め設定された上限値を超えるかまたはエレベータ２の動作に関する異常信号が受信されたときには、動力ブレーカ８５により、電力供給部８２からエレベータ２への電力供給が遮断される。
【００２３】
以上の本実施形態によれば、太陽光エネルギーにより発電された電力を蓄電池に充電し、この充電した電力を優先的に用いてエレベータを稼働させ、エレベータの稼働に用いてもなお充電した電力に余剰があるときには他の電気機器に供給したり電力会社に売却したりすることにより、蓄電池に充電された電力を効率よく利用して高い省エネ効果を得ることができる。
【００２４】
上述した実施形態においては、太陽光発電を利用した場合について説明したが、他の自然エネルギー、例えば風力発電を利用して蓄電池を充電するようにしてもよい。
【００２５】
また上述した実施形態において、余剰電力情報が生成される条件を、第２閾値の２倍を超えたときとしてもよい。
【００２６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２７】
１…エレベータシステム、２…エレベータ、３…太陽光パネル、４…集電ユニット、５…パワーコンディショナー、６…蓄電池、７…分電盤、８…エレベータ制御盤、９…建物内電力管理装置、８１…充電量監視部、８２…電力供給部、８３…電源切替盤、８４…電源切替制御部、８５…動力ブレーカ、８６…余剰電力情報生成部、８７…送信部
【図１】
0006054442.tif 000002
【図２】
0006054442.tif 000003
【図３】
0006054442.tif 000004